(57)【要約】      （修正有）【課題】貯蔵容器の容積を縮小させることなく、貯蔵容器を引き出すことができる構成を備えた冷蔵庫を提供する。【解決手段】冷蔵庫は、冷蔵庫本体と、冷蔵庫本体内部に設けられた冷蔵貯蔵室と、冷蔵貯蔵室の下部に設けられ、前方に引き出し可能な貯蔵容器５０と、貯蔵容器５０の上部に設けられ、貯蔵物を載置可能な上棚４０と、貯蔵容器５０の前側上部に設けられた手掛け部４４と、を備えている。上棚４０の前端には、手掛け部４４に掛けるための手を収納する手収納部４６が設けられている。【選択図】図２
2017211138.tif 000002
【特許請求の範囲】
【請求項１】
冷蔵庫本体と、
前記冷蔵庫本体内部に設けられた冷蔵貯蔵室と、
前記冷蔵貯蔵室の下部に設けられ、前方に引き出し可能な貯蔵容器と、
前記貯蔵容器の上部に設けられ、貯蔵物を載置可能な上棚と、
貯蔵容器の前側上部に設けられた手掛け部と、を備え、
前記上棚の前端には、前記手掛け部に掛けるための手を収納する手収納部が設けられている冷蔵庫。
【請求項２】
前記手収納部は、前記手掛け部の後方に位置する請求項１に記載の冷蔵庫。
【請求項３】
前記手収納部は、前記手掛け部の後方に設けられた第１収納部と、前記上棚の前方に設けられた第２収納部と、により構成されている請求項１又は２に記載の冷蔵庫。
【請求項４】
前記貯蔵容器の前方に設けられ、前記冷蔵庫本体の前面を開閉可能な冷蔵室扉と、
前記冷蔵室扉の後面に設けられ、貯蔵物を収納可能なポケットと、を備えており、
前記上棚の前方には上方に突出する突出部が設けられていて、前記突出部の後端は前記ポケットの後面の位置よりも後ろ側に設けられている請求項１から３のいずれか一項に記載の冷蔵庫。
【請求項５】
前記手収納部は前記上棚に設けられた凹部により構成されており、前記凹部の前端部であって、前記手掛け部との突き合わせ部は、少なくとも前記手掛け部上端よりも低い位置に設けられている請求項１から４のいずれか一項に記載の冷蔵庫。
【請求項６】
前記ポケットの後端位置は、前記貯蔵容器の前端位置より後ろに位置している請求項１から５のいずれか一項に記載の冷蔵庫。
【請求項７】
前記冷蔵室扉の後側に、後ろ方向に突出するようにして設けられたスロート部を備え、前記スロート部の後端部は、前記貯蔵容器の前面部に対向するように設けられている請求項１から６のいずれか一項に記載の冷蔵庫。
【請求項８】
前記貯蔵容器の側面に左右方向に突出するガイド部と、
前記ガイド部を上下から挟むようにし、前後方向に延在して設けられた上レール及び下レールと、を備えた請求項１から７のいずれか一項に記載の冷蔵庫。
【発明の詳細な説明】
【技術分野】
【０００１】
本発明の実施形態は、冷蔵庫に関する。
【背景技術】
【０００２】
従来、冷蔵庫の下部に設けられた引き出し式の貯蔵容器の前部には、手をかけて引き出すためのハンドル部が、貯蔵容器の前方に大きく突き出すようにして設けられていることが多く、このハンドルを設けるための空間分、貯蔵容器の容積が縮小される場合があった。
【先行技術文献】
【特許文献】
【０００３】
【特許文献１】特開平９−１１３１２４号公報
【発明の概要】
【発明が解決しようとする課題】
【０００４】
そこで、貯蔵容器の容積を縮小させることなく、貯蔵容器を引き出すことができる構成を備えた冷蔵庫を提供することを目的とする。
【課題を解決するための手段】
【０００５】
実施形態に係る冷蔵庫は、冷蔵庫本体と、前記冷蔵庫本体内部に設けられた冷蔵貯蔵室と、前記冷蔵貯蔵室の下部に設けられ、前方に引き出し可能な貯蔵容器と、前記貯蔵容器の上部に設けられ、貯蔵物を載置可能な上棚と、貯蔵容器の前側上部に設けられた手掛け部と、を備えている。前記上棚の前端には、前記手掛け部に掛けるための手を収納する手収納部が設けられている。
【図面の簡単な説明】
【０００６】
【図１】実施形態に係る冷蔵庫の概略構成を示す側面縦断面図
【図２】実施形態に係る冷蔵庫の貯蔵容器周辺の概略構成を示す側面縦断面図
【図３】貯蔵容器の概略構成を示す斜視図
【図４】図３のＡ−Ａ線における貯蔵容器の断面構造を示す縦断面図
【図５】変形例を示す図であり、図４相当図
【発明を実施するための形態】
【０００７】
実施形態に係る冷蔵庫について図１から図５を参照して説明する。なお、実施形態において実質的に同一の構成部位には同一の符号を付し、説明を省略する。以下の説明において、冷蔵庫１０の冷凍室扉１４ａ及び１６ａ側を前側、前面側とし、その反対方向を後側、背面側、又は奥側とする。
【０００８】
図１は実施形態に係る冷蔵庫１０の概略構成を示す側面縦断面図である。図２は実施形態に係る冷蔵庫１０の貯蔵容器５０周辺の概略構成を示す側面縦断面図である。図３は、貯蔵容器５０の概略構成を示す斜視図である。図４は、図３のＡ−Ａ線における貯蔵容器５０の断面構造を示す縦断面図である。
【０００９】
実施形態に係る冷蔵庫１０は、外郭を形成する外箱と貯蔵空間を形成する内箱との間に例えば発泡断熱材を充填した断熱箱体からなる冷蔵庫本体１１を備える。冷蔵庫本体１１の内部に形成される貯蔵空間は、仕切壁１２によって上方の冷凍貯蔵室１４と下方の冷蔵貯蔵室１６とに区画されている。冷蔵庫本体１１の前面開口部は、冷凍室扉１４ａ及び冷蔵室扉１６ａにより開閉可能に構成されている。
【００１０】
仕切壁１２は、冷蔵庫本体１１の内部に形成される貯蔵空間を上下に断熱区画しており、仕切壁１２の上面が冷凍貯蔵室１４の底面１２ａを構成し、仕切壁１２の下面が冷蔵貯蔵室１６の天井面１２ｂを構成している。
【００１１】
冷凍貯蔵室１４の前面開口部は、冷蔵庫１０前面に配置された冷凍室扉１４ａによって開閉可能に構成されている。冷凍貯蔵室１４は、例えば−１８℃以下の冷凍温度に冷却される空間である。冷凍貯蔵室１４内は、載置棚１４ｂによって上下に区画されている。冷凍貯蔵室１４の背部には、冷却器１８を収納する冷却器室２０が設けられている。
【００１２】
冷却器室２０の内部には、冷却器１８と送風ファン２４とが収納されている。冷凍貯蔵室１４の後部には、冷蔵庫本体１１との間で冷却器室２０を形成する背面板２６が設けられている。背面版２６は冷凍貯蔵室１４の背面を構成している。冷却器カバー１９は冷却器１８の前面側に配置され、背面板２６に対向している。
【００１３】
冷却器カバー１９と、冷凍貯蔵室１４の背面板２６の間には冷凍ダクト３２が形成されている。冷凍ダクト３２は冷蔵貯蔵室１６の背面に設けられた冷蔵ダクト３０に接続されている。風力発生手段である送風ファン２４から吹出した空気は、冷凍ダクト３２から、冷蔵貯蔵室１６の背面に設けられた冷蔵ダクト３０に流れ込み、更に冷蔵ダクト３０から冷蔵貯蔵室１６に流れ込むように構成されている。
【００１４】
冷却器室２０に設けられた冷却器１８は、冷蔵庫１０の下部に設けられた圧縮機３４、及び、図示しない凝縮器やキャピラリーチューブ等と共に冷凍サイクルを構成している。圧縮機３４は冷蔵庫１０後方下部に設けられた機械室３６内に配置されている。圧縮機３４から吐出される冷媒が凝縮器及びキャピラリーチューブを介して冷却器１８に導入される。これにより、冷却器１８は冷却器室２０内の空気を冷却する。
【００１５】
冷蔵貯蔵室１６は、例えば、０〜３℃の冷蔵温度に冷却される空間である。冷蔵貯蔵室１６の前面開口部は、冷蔵庫１０前面に配置された冷蔵室扉１６ａによって開閉可能に構成されている。冷蔵貯蔵室１６の内部は、仕切板２８及び上棚４０によって上下に区画されている。図１に例示する冷蔵庫１０では、仕切板２８及び上棚４０の間には複数段の載置棚１６ｂが設けられている。
【００１６】
上棚４０の下方には、冷蔵庫本体１１に対して前後方向に摺動可能に設けられた引き出し式の貯蔵容器５０が設けられている。貯蔵容器５０は上部に開口を有しており、上棚４０は貯蔵容器５０の上部に位置している。上棚４０は、貯蔵容器５０上部の開口を覆う覆い部でもあり、貯蔵室１６ｃに貯蔵される貯蔵物の載置棚もしくは底板でもある。上棚４０は、冷蔵庫本体１１の側面内壁に設けられた上棚載置部５２上に脱着可能に載置されている。
【００１７】
冷蔵室扉１６ａの裏面すなわち内面には、ポケット１７が設けられている。ポケット１７は冷蔵室扉１６ａの裏面に固定され、上方が開放した略矩形箱形状の容器であり、内部に貯蔵物を貯蔵することができる。ポケット１７は貯蔵容器５０の前部上方に位置し、冷蔵室扉１６ａの後方すなわち冷蔵貯蔵室１６内部方向に突出するように設けられている。
【００１８】
冷蔵室扉１６ａの下方において、冷蔵室扉１６ａの裏面に下スロート１６ｆ（スロート部）が設けられている。下スロート１６ｆは、後方すなわち貯蔵容器５０の方向を指向して突出するように設けられている。
【００１９】
冷蔵貯蔵室１６の最下部の貯蔵室１６ｃの下面には上棚４０及び内壁底部３８が配置される。内壁底部３８は機械室３６の上部に相当する冷蔵庫本体１１の段部構造の平面部でもある。上棚４０と内壁底部３８は略面一に構成された一つの平面を構成しており、上棚４０と内壁底部３８は貯蔵室１６ｃの底部を構成している。
【００２０】
図２、図３に示されるように、貯蔵容器５０の左右側面には、ガイド部６０が一体的に設けられている。冷蔵庫本体１１には、ガイド部６０を上下から挟むようにして、前後方向に延在する上レール６２と下レール６４が設けられている。貯蔵容器５０を出し入れする際には、ガイド部６０と上レール６２及び下レール６４が摺動することにより貯蔵容器５０が前後に移動する。また、上レール６２は下レール６４よりも短く構成されおり、上レール６２の前端部６２ａは、下レール６４の前端部６４ａよりも後方に位置している。
【００２１】
上棚４０の前部には、左右方向に延在し、上方に山なりに突出するようにして突出部４２が設けられている。突出部４２は、上棚４０上の貯蔵物が、突出部４２よりも前方向に移動することを抑制するストッパ部、及び、貯蔵物の位置を突出部４２よりも後ろの位置に規制する位置規制部としての機能を備えている。冷蔵室扉１６ａが閉鎖状態で、貯蔵容器５０とポケット１７は、上下方向にずれて重なり、前後方向にオーバーラップした位置関係にあり、ポケット後端１７ａの位置は、少なくとも突出部４２の後端である突出部後端４２ａの位置よりも前に位置している。
【００２２】
貯蔵容器５０の前部の上方には手掛け部４４が設けられている。図４にも示されるように、手掛け部４４は、貯蔵容器５０の前面部５０ａの上部に位置して配置されており、前面部５０ａ上端から水平に前方に張り出す水平部４４ａと、水平部４４ａの前端から上方に延在する鉛直部４４ｂとから構成されている。上棚４０の前端であって、手掛け部４４の後部には、手掛け部４４に手を引っかけるために手を入れる空間である手収納部４６が設けられている。突出部４２の前方には、下方に湾曲する凹部が形成されており、湾曲部４０ａは当該凹部により構成されている。水平部４４ａの後端部と、湾曲部４０ａの前端部は、突き合わせ部４０ｃにおいて面一に突き合わせられている。
【００２３】
手掛け部４４の後方にあって、水平部４４ａと鉛直部４４ｂによって作り出される空間は第１収納部４６ａとなり、湾曲部４０ａの上部に作り出される空間は第２収納部４６ｂとなる。手収納部４６は、第１収納部４６ａと第２収納部４６ｂにより構成されている。また、手掛け部４４の上端の高さは、水平部４４ａの後端部と、湾曲部４０ａの前端部との突き合わせ部４０ｃよりも高い位置に配置されている。
【００２４】
冷蔵室扉１６ａの下方の冷蔵室扉裏面１６ｈに設けられた下スロート１６ｆは、図２に示されるように、冷蔵室扉裏面１６ｈから後方すなわち貯蔵容器５０の方向に向いて突出する突出部である。下スロート１６ｆの後端である後端部１６ｇは、貯蔵容器５０の前面部５０ａ下部に対向している。冷蔵室扉裏面１６ｈから下スロート１６ｆの後端部１６ｇまでの長さすなわち下スロート１６ｆの突出量はＸ１である。冷蔵室扉１６ａの閉鎖状態で、下スロート１６ｆの後端部１６ｇと貯蔵容器５０の前面部５０ａの間には隙間が存在しており、後端部１６ｇから前面部５０ａまでの距離はＸ２である。
【００２５】
また、上述のように、冷蔵室扉裏面１６ｈには、冷蔵室扉１６ａの下部であって貯蔵容器５０の上方前側の位置にポケット１７が設けられている。上スロート１６ｋは、冷蔵室扉裏面１６ｈから後方に向けて突出する突出部であり、上記ポケット１７を下方から支持している。冷蔵室扉裏面１６ｈから上スロート１６ｋの後端部１６ｍまでの長さすなわち上スロート１６ｋの突出量はＸ３である。上スロート１６ｋの上スロート１６ｋの先端は、冷蔵室扉１６ａの閉鎖状態で貯蔵容器５０の前面部５０ａの位置を後方に向けて超えるものであり、Ｘ３＞Ｘ１の関係を有する。冷蔵室扉１６ａの閉鎖時において、冷蔵室扉裏面１６ｈから上スロート１６ｋの後端部１６ｍの位置は、突き合わせ部４０ｃの位置を後方に向けて超えることが好ましい。
【００２６】
図５は、実施形態の変形例を示す図であり、図３のＡ−Ａ線における貯蔵容器５０の断面構造を示す縦断面図に相当する図である。手掛け部４５は、貯蔵容器５０の前面部５０ａの上部に位置して配置されており、前面部５０ａがそのまま上方に直線的に延在して構成されている。手掛け部４５の後部には、手掛け部４５に手を引っかけるために手を入れる空間である手収納部４７が設けられている。突出部４２の前方には、下方に湾曲する凹部が設けられており、湾曲部４０ｂは当該凹部により構成されている。湾曲部４０ｂの前端部は、前面部５０ａの手掛け部４５裏面の側面に対向している。手掛け部４５の裏面と湾曲部４０ｂの上部で規制される空間は手収納部４７を構成する。
【００２７】
上記実施形態に係る冷蔵庫１０によれば、以下の効果を奏することができる。
実施形態に係る冷蔵庫１０によれば、冷蔵貯蔵室１６の最下部の貯蔵室１６ｃの下面には上棚４０及び内壁底部３８が配置され、上棚４０と内壁底部３８は略面一に構成された一つの平面を構成して貯蔵室１６ｃの底部を構成している。これにより、上棚４０だけでなく内壁底部３８の上部にも貯蔵物を載置することが可能となるため、貯蔵室１６ｃに多くの貯蔵物を貯蔵することが可能となる。
【００２８】
実施形態に係る冷蔵庫１０によれば、貯蔵容器５０の左右側面には、ガイド部６０が一体的に設けられており、冷蔵庫本体１１の側面には、ガイド部６０を上下から挟むようにして、前後方向に延在する上レール６２と下レール６４が設けられ、ガイド部６０が前後に摺動可能に設置される。これにより、貯蔵容器５０を手前に引き出す際に、上レール６２と下レール６４によって挟まれたガイド部６０により貯蔵容器５０の上下方向の動きが規制され、手掛け部４４に手をかけて貯蔵容器５０を前方に引き出す際に、貯蔵容器５０の後方が上方への持ち上がることを抑制することができるため、操作性が向上する。
【００２９】
また、上レール６２は下レール６４よりも短く構成されおり、上レール６２の前端部６２ａは、下レール６４の前端部６４ａよりも後方に位置している。これにより、貯蔵容器５０がある程度前方に引き出された状態では、貯蔵容器５０の前部が上方に持ち上がることを許容して貯蔵容器５０の動作に自由度を付与できるため、貯蔵容器５０の挿抜を容易にすることができる。
【００３０】
実施形態に係る冷蔵庫１０によれば、貯蔵容器５０の前部の上方には手掛け部４４が設けられ、手掛け部４４の後部には、手掛け部４４に手を引っかけるために手を入れる空間である手収納部４６が設けられている。これにより、手掛け部４４の前方に手収納部を設ける必要がないため、手掛け部４４を大きな構造物とする必要がない。従って、その分、貯蔵容器５０を前側に大きく設けることが可能となり、貯蔵容器５０の容量を大きくすることが可能となる。
【００３１】
実施形態に係る冷蔵庫１０によれば、手掛け部４４の水平部４４ａの後端部と、上棚４０の湾曲部４０ａの前端部は、面一に突き合わせられている。これにより、美観に優れた手掛け部４４を提供することができるとともに、手収納部４６に手を収納した際に手収納部４６の底部で引っ掛かりがなくなるため、操作性に優れた手掛け部４４を提供することができる。
【００３２】
実施形態に係る冷蔵庫１０によれば、手収納部４６は、手掛け部４４の後方に設けられる第１収納部４６ａと、上棚４０前方に設けられる第２収納部４６ｂにより構成されている。これにより、手収納部４６の一部が上棚４０側に設けられることにより、手収納部４６を全体として後方に位置させることができる。このため、手掛け部４４を貯蔵容器５０の前側に張り出して設ける必要がなくなるため、その分、貯蔵容器５０を前側に大きく設けることが可能となり、貯蔵容器５０の容量を大きくすることが可能となる。
【００３３】
また、上記構成により、手掛け部４４に手をかけるための手収納部４６が貯蔵容器５０の内部領域に設けられるため、貯蔵容器５０の上部に位置する構造物に手が干渉することなく手を手収納部４６に入れて手掛け部４４に手をかけることが可能となる。
【００３４】
実施形態に係る冷蔵庫１０によれば、手掛け部４４の高さは、水平部４４ａの後端部と、湾曲部４０ａの前端部との突き合わせ部４０ｃよりも高い位置に配置されている。これにより、使用者から突き合わせ部４０ｃを視認することが困難となるため、美観に優れた手掛け部４４を提供することができる。
【００３５】
実施形態に係る冷蔵庫１０によれば、上棚４０の前部には、突出部４２が、左右方向に延在し、上方に山なりに突出するようにして設けられている。更に、冷蔵室扉１６ａが閉鎖状態で、貯蔵容器５０とポケット１７は前後方向にオーバーラップした位置関係にあり、ポケット後端１７ａの位置は、少なくとも突出部４２の後端である突出部後端４２ａの位置よりも前に位置している。これにより、突出部４２は、上棚４０上の貯蔵物が突出部４２よりも前方向に移動することを抑制するストッパ部、及び貯蔵物の位置を規制する位置規制部として機能し、貯蔵室１６ｃ内の貯蔵物が貯蔵容器５０上部に位置するポケット１７に接触、干渉することを抑制することができるため、貯蔵物が傷むことを抑制することができる。また、上棚４０に液体がこぼれた場合であっても、突出部４２を超えて当該液体が前方に落下することを防止することができる。
【００３６】
実施形態に係る冷蔵庫１０によれば、冷蔵室扉１６ａの下方の冷蔵室扉裏面１６ｈに設けられた下スロート１６ｆは、後方に突出して設けられ、下スロート１６ｆの後端である後端部１６ｇは、貯蔵容器５０の前面部５０ａに対向している。下スロート１６ｆの突出量をＸ１とし、冷蔵室扉１６ａの閉鎖状態で、下スロート１６ｆの後端部１６ｇと貯蔵容器５０の前面部５０ａの間には隙間の距離をＸ２とし、上スロート１６ｋの突出量をＸ３とすると、上スロート１６ｋの上スロート１６ｋの先端は、冷蔵室扉１６ａの閉鎖状態で貯蔵容器５０の前面部５０ａの位置を後方に向けて超えるものであり、Ｘ３＞Ｘ１の関係を有する。
【００３７】
このように、下スロート１６ｆの突出量Ｘ１は、上スロート１６ｋの突出量Ｘ３よりも小さく構成されることにより、冷蔵室扉１６ａを閉じた場合には貯蔵容器５０の前面部５０ａと下スロート１６ｆの後端部１６ｇとの間は距離Ｘ２の隙間が設けられ、下スロート１６ｆと貯蔵容器５０が干渉することがない。
【００３８】
また、下スロート１６ｆの突出量Ｘ１を所定の長さ（例えばＸ２）より長くして、貯蔵容器５０の前面部５０ａより庫内側すなわち後方側に突出するようにした。このため、冷蔵室扉１６ａの閉鎖動作時に、貯蔵容器５０が引き出されていた場合であっても、下スロート１６ｆが貯蔵容器５０を押すことができるため、貯蔵容器５０が引き出されたままの状態を解消することができる。また、貯蔵容器５０が閉まりきらなかった場合にあっても、冷気の流れをポケット１７やそのポケットを支持する上スロート１６ｋによって遮蔽することができるため、冷気が突き合わせ部４０ｃから貯蔵容器５０内に浸入することを極力防止することができる。
【００３９】
実施形態の変形例に係る冷蔵庫１０によれば、手掛け部４５は、貯蔵容器５０の前面部５０ａがそのまま上方に直線的に延在して構成され、手掛け部４５の後部には手収納部４７が設けられている。これにより、手掛け部４４を更に後方に位置させることが可能となるため、その分、貯蔵容器５０を前側に大きく設けることが可能となり、貯蔵容器５０の容量を大きくすることが可能となる。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
図面中、１０は冷蔵庫、１１は冷蔵庫本体、１６は冷蔵貯蔵室、１６ａは冷蔵室扉、１６ｆは下スロート（スロート部）、１６ｇは後端部、１６ｈは冷蔵室扉裏面、１７はポケット、１７ａはポケット後端、４０は上棚、４０ａ、４０ｂは湾曲部（凹部）、４０ｃは突き合わせ部、４２は突出部、４２ａは突出部後端、４４、４５は手掛け部、４６、４７は手収納部、４６ａは第１収納部、４６ｂは第２収納部、５０は貯蔵容器、５０ａは前面部、６０はガイド部、６２は上レール、６４は下レールを示す。
【図１】
2017211138.tif 000003
【図２】
2017211138.tif 000004
【図３】
2017211138.tif 000005
【図４】
2017211138.tif 000006
【図５】
2017211138.tif 000007